(57)【要約】【課題】低コストにて容易に金庫室内を監視することができる監視カメラシステムの提供。【解決手段】金庫室１６内には、監視カメラ３０と、監視カメラ３０に接続されて監視カメラ３０で撮影した画像データを発信する画像データ発信手段３２とが設けられ、金庫室１６外には、画像データ発信手段３２から発信された画像データを受信する画像データ受信手段５０と、画像データ受信手段５０に接続されて、画像データ受信手段５０で受信した画像データを録画する録画手段５１とが設けられている。【選択図】図２
2010098568.tif 000002
【特許請求の範囲】
【請求項１】
金庫室内を監視する監視カメラシステムであって、
前記金庫室内には、監視カメラと、該監視カメラに接続されて該監視カメラで撮影した画像データを発信する画像データ発信手段とが設けられ、
前記金庫室外には、前記画像データ発信手段から発信された前記画像データを受信する画像データ受信手段と、該画像データ受信手段に接続されて、該画像データ受信手段で受信した前記画像データを録画する録画手段とが設けられていることを特徴とする監視カメラシステム。
【請求項２】
前記金庫室内には、前記監視カメラおよび前記画像データ発信手段を駆動可能な電源が設けられておらず、前記金庫室外に、前記監視カメラおよび前記画像データ発信手段を駆動可能な駆動電源が設けられていて、扉で開状態とされた前記金庫室の開口部を介して、前記駆動電源と前記監視カメラおよび前記画像データ発信手段とが接続可能となっていることを特徴とする請求項１に記載の監視カメラシステム。
【請求項３】
前記監視カメラおよび前記画像データ発信手段は、前記金庫室内の照明器具と同一の駆動電源から電力供給を受ける構成とされており、前記照明器具が電源ＯＮ状態で前記監視カメラおよび前記画像データ発信手段も電源ＯＮ状態となり、前記照明器具が電源ＯＦＦ状態で前記監視カメラおよび前記画像データ発信手段も電源ＯＦＦ状態となることを特徴とする請求項１または２に記載の監視カメラシステム。
【請求項４】
前記同一の駆動電源の投入手段は、前記金庫室の扉近傍に配設されていることを特徴とする請求項３に記載の監視カメラシステム。
【請求項５】
前記画像データ発信手段および前記画像データ受信手段は、前記金庫室の扉を挟んで配置されることを特徴とする請求項１乃至４のいずれか一項に記載の監視カメラシステム。
【請求項６】
前記画像データ発信手段および前記画像データ受信手段は、低出力の無線によって前記画像データの送受信を行うことを特徴とする請求項１乃至５のいずれか一項に記載の監視カメラシステム。
【請求項７】
前記画像データ発信手段は前記画像データを暗号化し、前記画像データ受信手段は前記画像データの暗号化を解除することを特徴とする請求項１乃至６のいずれか一項に記載の監視カメラシステム。
【発明の詳細な説明】
【技術分野】
【０００１】
本発明は、金庫室内を監視する監視カメラシステムに関する。
【背景技術】
【０００２】
金庫室等の監視領域に監視カメラを設置し、カメラで取得した画像データを通信回線を利用して遠隔地にある監視センタに送信するように構成された遠隔監視システムがある（例えば、特許文献１参照）。
【特許文献１】特開２０００−２９５５９８号公報
【発明の開示】
【発明が解決しようとする課題】
【０００３】
しかしながら、金庫室内は、防火の観点から駆動電源を設けることができず、監視カメラを設置して監視することが事実上困難であった。
【０００４】
したがって、本発明は、低コストにて容易に金庫室内を監視することができる監視カメラシステムの提供を目的とする。
【課題を解決するための手段】
【０００５】
上記目的を達成するために、請求項１に係る発明は、金庫室内を監視する監視カメラシステムであって、前記金庫室内には、監視カメラと、該監視カメラに接続されて該監視カメラで撮影した画像データを発信する画像データ発信手段とが設けられ、前記金庫室外には、前記画像データ発信手段から発信された前記画像データを受信する画像データ受信手段と、該画像データ受信手段に接続されて、該画像データ受信手段で受信した前記画像データを録画する録画手段とが設けられていることを特徴としている。
【０００６】
請求項２に係る発明は、請求項１に係る発明において、前記金庫室内には、前記監視カメラおよび前記画像データ発信手段を駆動可能な電源が設けられておらず、前記金庫室外に、前記監視カメラおよび前記画像データ発信手段を駆動可能な駆動電源が設けられていて、扉で開状態とされた前記金庫室の開口部を介して、前記駆動電源と前記監視カメラおよび前記画像データ発信手段とが接続可能となっていることを特徴としている。
【０００７】
請求項３に係る発明は、請求項１または２に係る発明において、前記監視カメラおよび前記画像データ発信手段は、前記金庫室内の照明器具と同一の駆動電源から電力供給を受ける構成とされており、前記照明器具が電源ＯＮ状態で前記監視カメラおよび前記画像データ発信手段も電源ＯＮ状態となり、前記照明器具が電源ＯＦＦ状態で前記監視カメラおよび前記画像データ発信手段も電源ＯＦＦ状態となることを特徴としている。
【０００８】
請求項４に係る発明は、請求項３に係る発明において、前記同一の駆動電源の投入手段は、前記金庫室の扉近傍に配設されていることを特徴としている。
【０００９】
請求項５に係る発明は、請求項１乃至４のいずれか一項に係る発明において、前記画像データ発信手段および前記画像データ受信手段は、前記金庫室の扉を挟んで配置されることを特徴としている。
【００１０】
請求項６に係る発明は、請求項１乃至５のいずれか一項に係る発明において、前記画像データ発信手段および前記画像データ受信手段は、低出力の無線によって前記画像データの送受信を行うことを特徴としている。
【００１１】
請求項７に係る発明は、請求項１乃至６のいずれか一項に係る発明において、前記画像データ発信手段は前記画像データを暗号化し、前記画像データ受信手段は前記画像データの暗号化を解除することを特徴としている。
【発明の効果】
【００１２】
請求項１に係る発明によれば、金庫室内に設けられた監視カメラで撮影した画像データを、金庫室内に設けられた画像データ発信手段が発信すると、金庫室外に設けられた画像データ受信手段が、画像データ発信手段から発信された画像データを受信し、録画手段が、この画像データ受信手段で受信した画像データを録画する。このように、低コストにて容易に金庫室内を監視することができる。そして、金庫室内で不正な行為がなされていないかを録画手段の画像データを再生することによって確認できる。
【００１３】
請求項２に係る発明によれば、金庫室内には、監視カメラおよび画像データ発信手段を駆動可能な電源、つまり常時電力を供給可能な電力供給機構（バッテリを含む）が設けられていないため、金庫室内に熱源がなく、防火上好ましい。そして、金庫室に人が出入りする時に、出入りのため扉で開状態とされた金庫室の開口部を介して、金庫室外の駆動電源に監視カメラおよび画像データ発信手段を接続させることで、金庫室内を監視カメラで監視することができる。また、扉で開状態とされた金庫室の開口部を介して、金庫室外の駆動電源に監視カメラおよび画像データ発信手段を接続させるため、扉を閉じるときに金庫室外の駆動電源と監視カメラおよび画像データ発信手段との接続を解除する必要があり、電源接続の解除忘れがない。よって、防火上さらに好ましい。
【００１４】
請求項３に係る発明によれば、監視カメラおよび画像データ発信手段が、金庫室内の照明器具と同一の駆動電源から電力供給を受ける構成とされているため、金庫室内で作業するために照明器具を電源ＯＮ状態とすると監視カメラおよび画像データ発信手段も電源ＯＮ状態となって、自動的に金庫室内を監視可能な状態となる。また、金庫室内での作業が終了して照明器具を電源ＯＦＦ状態とすると監視カメラおよび画像データ発信手段も電源ＯＦＦ状態となる。したがって、照明器具を電源ＯＮ状態とする、係員が金庫室内で業務を行う状況においてのみ、監視カメラおよび画像データ発信手段を電源ＯＮ状態にでき、必要最小限の電力供給にて機能させることができる。
【００１５】
請求項４に係る発明によれば、同一の駆動電源の投入手段が、金庫室の扉近傍に配設されているため、電源の投入作業を容易に行うことができる。また、金庫室の扉近傍に配設された投入手段を操作して照明器具を電源ＯＮ状態とすると、監視カメラおよび画像データ発信手段が電源ＯＮ状態となるため、係員の作業の流れに不自然な違和感を抱かせることなく、係員の入室に際して金庫室内を監視可能となる。
【００１６】
請求項５に係る発明によれば、画像データ発信手段および画像データ受信手段が、金庫室の扉を挟んで配置されるため、これらが必要最小限の極めて短距離に配置されることになって、画像データの送受信の信頼性を高めることができる。
【００１７】
請求項６に係る発明によれば、画像データ発信手段および画像データ受信手段が、低出力の無線によって画像データの送受信を行うため、有線方式と比較して、金庫室の内外に配線を引き回しする煩雑さを解消できる。また、無線が低出力であるため、画像データの傍受を防止できる。
【００１８】
請求項７に係る発明によれば、画像データ発信手段が画像データを暗号化し、画像データ受信手段が画像データの暗号化を解除するため、画像データのセキュリティを向上できる。
【発明を実施するための最良の形態】
【００１９】
本発明の一実施形態の監視カメラシステムを図面を参照して以下に説明する。
【００２０】
図１に示すように、本実施形態の監視カメラシステム１１は、例えば金融機関の店舗１２内に設置されるものである。金融機関の店舗１２内は、顧客との接客を行う接客スペース１３と、基本的には顧客が立ち入ることがない執務スペース１４とに区画されており、執務スペース１４は、執務室１５とその奥方の金庫室１６とに区画されている。金庫室１６内には、図示は略すが現金等を保管する金庫や重要書類を保管するキャビネット等が設置されており、このため、金庫室１６は閉塞された耐火構造とされている。金庫室１６には、基本的に一箇所のみ出入口（開口部）１８が設置されており、出入口１８は耐火性の扉１９で開閉可能となっている。ここで、扉１９は、左右方向一側を中心に回動するもので、全閉状態および全開状態でのみ停止可能であり、これらの間にあるときには、自動的に全閉状態になるように付勢されている。
【００２１】
金庫室１６は、耐火性能上、窓類が設けられていない。そして、内部を明るく照らすための照明器具２５が金庫室１６内の図２に示す天井２６に設置されている。
【００２２】
本実施形態の監視カメラシステム１１は、上記した金庫室１６内を監視するもので、金庫室１６内の天井２６に設置されて金庫室１６内を撮像可能な内部監視カメラ（監視カメラ）３０と、金庫室１６内の出入口１８の上部に設置され、内部監視カメラ３０に金庫室１６内で配索された信号配線３１により接続されてこの内部監視カメラ３０で撮影した画像データを無線で発信する画像データ発信装置（画像データ発信手段）３２とを有している。画像データ発信装置３２は、内部監視カメラ３０で撮影した画像データを暗号化し電波信号で出力する。なお、図示例では、金庫室１６内に内部監視カメラ３０を１台設置しているが、複数台設置しても良い。
【００２３】
ここで、金庫室１６内は、重要物を保管する観点から上記した耐火とともに内部に火元を生じない防火が必須となっており、例えば漏電等、電力に起因した出火のリスクを避けるため、電力供給可能な電源は設けられていない。つまり、上記した照明器具２５、内部監視カメラ３０および画像データ発信装置３２を駆動可能な駆動電源は金庫室１６内には設けられていない。そして、電力供給が必要な上記した照明器具２５、内部監視カメラ３０および画像データ発信装置３２は、給電用配線３３を介して一つの電源供給用コード（投入手段）３５に接続されている。つまり、照明器具２５、内部監視カメラ３０および画像データ発信装置３２は、共通のこの電源供給用コード３５を介して同一の駆動電源から電力供給を受ける構成とされており、電源供給用コード３５が駆動電源に接続されることで照明器具２５が電源ＯＮ状態になるとともに内部監視カメラ３０および画像データ発信装置３２も電源ＯＮ状態となり、電源供給用コード３５の駆動電源への接続が解除されることで照明器具２５が電源ＯＦＦ状態となるとともに内部監視カメラ３０および画像データ発信装置３２も電源ＯＦＦ状態となる。
【００２４】
この電源供給用コード３５は、金庫室１６における出入口１８つまり扉１９の近傍に設けられており、具体的には、係員が出入口１８から金庫室１６内に入室せずに立位姿勢のまま把持可能となるように、出入口１８の金庫室１６内側の側部近傍の比較的高い位置に設けられた係止具３６に掛けられている。この電源供給用コード３５は、出入口１８内側の側部の固定点３７から所定の長さ延設されており、この長さの範囲内であれば自由に引き回しが可能となっている。この所定の長さは、電源供給用コード３５が金庫室１６内から扉１９で開状態とされた出入口１８を介して金庫室１６の外側まで引き出し可能となる長さに設定されている。
【００２５】
これに対して、執務室１５における出入口１８つまり扉１９の近傍の側部には、商用電源等の駆動電源３９に常時給電可能に接続された電源コンセント（投入手段）４０が配設されている。よって、扉１９で開状態とされた金庫室１６の出入口１８を介して電源供給用コード３５が執務室１５側に引き出され、図３に示すように、この電源供給用コード３５の先端のプラグ４１が執務室１５側の電源コンセント４０に接続されることで、駆動電源３９から、照明器具２５、内部監視カメラ３０および画像データ発信装置３２に、電源供給用コード３５および給電用配線３３を介してこれらを駆動する大きさの電力が供給されるようになっている。なお、内部監視カメラ３０および画像データ発信装置３２は、電力の供給中は、常に撮像を行って画像データを発信する。他方、電源供給用コード３５の先端のプラグ４１が執務室１５側の電源コンセント４０から抜かれることで、照明器具２５、内部監視カメラ３０および画像データ発信装置３２への電力供給が断たれることになる。ここで、係員が立位姿勢のまま電源供給用コード３５のプラグ４１を接続できるように電源コンセント４０の高さ位置も係止具３６と同様、比較的高い位置に設定されている。
【００２６】
以上により、金庫室１６内には、照明器具２５、内部監視カメラ３０および画像データ発信装置３２を駆動可能な電源が設けられておらず、金庫室１６外に、照明器具２５、内部監視カメラ３０および画像データ発信装置３２を駆動可能な駆動電源３９の電源コンセント４０が設けられていて、扉１９で開状態とされた金庫室１６の出入口１８を介して、駆動電源３９と、照明器具２５、内部監視カメラ３０および画像データ発信装置３２とが接続可能となっている。また、照明器具２５、内部監視カメラ３０および画像データ発信装置３２への同一の駆動電源３９の投入手段である電源供給用コード３５および電源コンセント４０は、金庫室１６の扉１９の近傍に配設されている。
【００２７】
監視カメラシステム１１は、金庫室１６外である執務室１５に、画像データ発信装置３２から発信された画像データの電波信号を受信し暗号化を解除して通常の画像データに変換する画像データ受信装置（画像データ受信手段）５０と、この画像データ受信装置５０に通信可能に接続されて、画像データ受信装置５０で受信した画像データを日時情報とともに記憶するハードディスクレコーダ等の録画装置（録画手段）５１とが設けられている。これら画像データ受信装置５０および録画装置５１は、執務室１５に設けられていることから、上記した金庫室１６内の内部監視カメラ３０および画像データ発信装置３２とは異なり、駆動電源３９に常時給電可能に接続されて駆動可能な電力を受けている。なお、録画装置５１は、画像データ発信装置３２が画像データを受信している状況でのみ、受信中のすべての画像データの録画を行うように設定されている。
【００２８】
画像データ受信装置５０は、金庫室１６の出入口１８の上部外側に設置されており、その結果、画像データ発信装置３２および画像データ受信装置５０は、金庫室１６の出入口１８、つまり出入口１８を閉塞する閉状態の扉１９を挟んで配置されている。画像データ受信装置５０は、画像データ発信装置３２から出力された電波信号を受信して、この電波信号の暗号化を解除して内部監視カメラ３０で撮影した画像データに戻し、録画装置５１に記憶させる。ここで、画像データ発信装置３２および画像データ受信装置５０は、少なくとも店舗１２外では電波が傍受不可となるように、低出力の無線によって、暗号化された画像データの送受信を行うようになっている。
【００２９】
監視カメラシステム１１は、金庫室１６外である執務室１５内に、金庫室１６の出入口１８の近傍つまり扉１９の近傍を常時監視する外部監視装置（監視手段）５５が設けられている。
【００３０】
この外部監視装置５５は、執務室１５の天井５６に設置されて金庫室１６の出入口１８の近傍つまり扉１９の近傍を上方から撮像する外部監視カメラ５７と、この外部監視カメラ５７に通信可能に接続されてこの外部監視カメラ５７で撮影した画像データを日時情報とともに記憶するハードディスクレコーダ等の録画装置５９と、外部監視カメラ５７に通信可能に接続されるとともに、画像データ受信装置５０および録画装置５１にも通信可能に接続されて、管理者の元に設置される監視装置本体６３とを有している。この外部監視装置５５も駆動電源３９に常時給電可能に接続されている。
【００３１】
図４に示すように、監視装置本体６３は、外部監視カメラ５７で撮影した画像データを解析し金庫室１６への係員の入室動作および金庫室１６内の照明点灯を認識する認識部（認識手段）６６と、画像データ受信装置５０の受信状態および認識部６６の認識結果に基づいて不正行動の有無を判定し不正行動があった場合に警告情報を発信する監視部６７と、この監視部６７から警告情報を受けると警告情報の種別と受信時点の日時である発生日時情報とを記憶する記憶部（記憶手段）６８と、監視部６７から警告情報を受けるとアラームを発生させる本体警告部（警告手段）６９と、操作部７０と、再生制御部７３と等で構成されている。本体警告部６９は、アラーム音声等を発生させる音声発生部７１と、アラーム表示等を行う表示モニタ部７２とで構成されている。
【００３２】
また、外部監視装置５５は、監視装置本体６３に通信可能に接続されてこの監視装置本体６３の監視部６７から警告情報を受けると、アラームを発生させる出入口警告部（警告手段）７６を出入口１８近傍にも有しており、出入口警告部７６も、アラーム音声等を発生させる音声発生部７７と、アラーム表示等を行う表示モニタ部７８とで構成されている。
【００３３】
監視装置本体６３の認識部６６は、例えば、外部監視カメラ５７で撮像された、扉１９が閉じられ扉１９の前に係員がいない状態の画像データ、扉１９が閉じられ扉１９の前に係員がいる状態の画像データ、扉１９が開かれて扉１９の前に係員がいる状態の画像データおよび扉１９が開かれて扉１９の前に係員がいない状態の画像データと等をマスタデータとして記憶しており、外部監視カメラ５７が現在取得している画像データを、マスタデータと比較することで、外部監視カメラ５７が現在取得している画像データでは、扉１９が閉じられ扉１９の前に係員がいない状態にあるのか、扉１９が閉じられ扉１９の前に係員がいる状態にあるのか、扉１９が開かれて扉１９の前に係員がいる状態にあるのか、扉１９が開かれて扉１９の前に係員がいない状態にあるのか等を判定可能となっている。そして、現在取得している画像データが、扉１９が閉じられ扉１９の前に係員がいない状態から、連続的に、扉１９が閉じられ扉１９の前に係員がいる状態に変化し、さらに扉１９が開かれて扉１９の前に係員がいる状態に変化した場合、係員の金庫室１６への入室動作が発生したと認識する。そして、扉１９が開かれて扉１９の前に係員がいる状態から、さらに、扉１９が開かれて扉１９の前に係員がいない状態に変化すると、係員の金庫室１６への入室動作が完了したと認識する。
【００３４】
また、認識部６６は、外部監視カメラ５７で取得した画像データの輝度の変化から、金庫室１６の扉１９が開かれた状態で金庫室１６内の照明器具２５が点灯した状態にあるか、それ以外の状態にあるかを認識するようになっている。
【００３５】
監視部６７は、認識部６６によって金庫室１６内の照明器具２５の点灯を確認した後であって、画像データ受信装置５０によって金庫室１６内の画像データを受信する前に、認識部６６によって係員の入室動作が完了したことを認識した場合、電源ＯＮから照明器具２５が点灯するまでのタイムラグの間に入室するという不正行動があったと判定して、種別が画像データ受信前入室である警告情報を発信する。
【００３６】
また、監視部６７は、画像データ受信装置５０によって金庫室１６内の画像データを受信した後であって、認識部６６によって金庫室１６内の照明器具２５の点灯を確認する前に、認識部６６によって金庫室１６への係員の入室動作を確認した場合に、電源ＯＮから画像データ受信装置５０によって金庫室１６内の画像データを受信するまでのタイムラグの間に入室するという不正行動があったと判定して、種別が点灯前入室である警告情報を発信する。
【００３７】
また、監視部６７は、画像データ受信装置５０によって金庫室１６内の画像データを受信する前であって、認識部６６によって金庫室１６内の照明器具２５の点灯を確認する前に、認識部６６によって金庫室１６への係員の入室動作を確認した場合に、電源ＯＮから照明器具２５が点灯するまでのタイムラグの間であって電源ＯＮから画像データ受信装置５０によって金庫室１６内の画像データを受信するまでのタイムラグの間に入室するという不正行動があったと判定して、種別が画像データ受信前且つ点灯前入室である警告情報を発信する。
【００３８】
つまり、監視部６７は、認識部６６によって金庫室１６内の照明器具２５の点灯を確認し且つ画像データ受信装置５０によって金庫室１６内の画像データを受信するという、これらの条件が整う前に、認識部６６によって金庫室１６への係員の入室動作を確認した場合、不正行動があったと判定して、警告情報を発信する。
【００３９】
他方、監視部６７は、認識部６６によって金庫室１６内の照明器具２５の点灯を確認し且つ画像データ受信装置５０によって金庫室１６内の画像データを受信した後に、認識部６６によって金庫室１６への係員の入室動作を確認した場合、不正行動がない正常な入室であると判定して、警告情報は発信せず、正常に金庫室１６への入室が行われたことを示す正常入室情報を出力する。
【００４０】
記憶部６８は、監視部６７から警告情報を受信すると、警告情報に含まれる画像データ受信前入室、点灯前入室、画像データ受信前且つ点灯前入室のいずれかの種別とともに、受信時点の日時である発生日時情報を関連づけて記憶する。
【００４１】
再生制御部７３は、表示モニタ部７２へのガイダンス表示にしたがって操作部７０に適宜の操作入力が行われると、記憶部６８に記憶されている全ての警告情報の種別データと発生日時情報とを関連づけて並べて表示モニタ部７２に表示させる。そして、これらからいずれか一つのデータが操作部７０で指定されると、再生制御部７３は、このデータの発生日時情報の前後所定時間において録画装置５９で録画した画像を再生し日時情報と合わせて表示モニタ部７２に表示させる。つまり、選択されたデータに対応して録画された外部監視カメラ５７による出入口１８の画像を再生する。
【００４２】
また、再生制御部７３は、表示モニタ部７２へのガイダンス表示にしたがって操作部７０に適宜の操作入力が行われると、操作部７０に指定入力された日時情報において録画装置５１で録画した画像を再生し日時情報と合わせて表示モニタ部７２に表示させる。つまり、選択された日時情報に対応して録画された内部監視カメラ３０の撮像による金庫室１６内の画像を再生する。
【００４３】
本体警告部６９は、表示モニタ部７２に、外部監視カメラ５７が撮像している現在の画像データを常時表示可能になっている。そして、本体警告部６９は、監視部６７から警告情報を受信すると、音声発生部７１がアラーム音声を発生させることになり、表示モニタ部７２が外部監視カメラ５７の現状の画像に合わせて、警告情報の種別をアラーム画像として表示させることになる。アラーム発生後、監視部６７から正常入室情報を受信すると、本体警告部６９は、アラーム音声およびアラーム画像を停止させる。つまり、監視部６７は、警告情報を発信後、予め設定された所定時間が経過する前に（つまり係員により金庫室１６内で作業が不可能な時間内に）、係員が金庫室１６から出たことが、認識部６６で認識され、その後、正しい手順で入室が行われたことが認識部６６で認識されると、警告情報の発信を停止させることになり、これを受けて本体警告部６９は、アラームを停止させる。
【００４４】
出入口警告部７６は、表示モニタ部７８に、画像データ受信装置５０によって受信した現在内部監視カメラ３０が撮像している画像データを常時表示させるようになっている。そして、出入口警告部７６は、監視部６７から警告情報を受信すると、出入口１８の近傍に設置された音声発生部７７がアラーム音声を発生させることになり、表示モニタ部７８が内部監視カメラ３０の現状の画像に合わせて、警告情報の種別をアラーム画像として表示させることになる。アラーム音声の発生後、監視部６７から正常入室情報を受信すると、出入口警告部７６は、アラーム音声およびアラーム画像を停止させる。この出入口警告部７６で発生させるアラーム音声は、例えば、不正行動があったため、適正な手順、つまり金庫室１６内の照明器具２５の点灯を確認し且つ表示モニタ部７８で金庫室１６内の画像データが表示状態にあることを確認した後に、入室するように促すガイダンス音声およびガイダンス画像となっている。
【００４５】
次に、監視カメラシステム１１の作動について、係員の金庫室１６への入室の手順に沿って説明する。
【００４６】
係員が金庫室１６に入室するにあたって、扉１９の前に立ち、扉１９を全開状態まであけ、金庫室１６に入室することなく、金庫室１６の出入口１８の内側近傍の係止具３６に掛けられた電源供給用コード３５を持ち、これを出入口１８を介して執務室１５側に引き出して、電源コンセント４０に接続させる。これにより、金庫室１６内に設けられた照明器具２５、内部監視カメラ３０および画像データ発信装置３２に電力が供給され、これらが電源ＯＮの状態になる。すると、照明器具２５が点灯するとともに、内部監視カメラ３０の画像データが画像データ発信装置３２から画像データ受信装置５０に送受信され、録画装置５１に記憶されるとともに外部監視装置５５の出入口警告部７６の表示モニタ部７８に表示される。
【００４７】
ここで、外部監視装置５５は、常時、外部監視カメラ５７で撮像した画像データを録画装置５９に日時情報とともに記憶しており、認識部６６が、出入口１８つまり扉１９の近傍の状況を外部監視カメラ５７の画像データを解析している。そして、認識部６６は、扉１９が閉じられ扉１９の前に係員がいない状態から、扉１９が閉じられ扉１９の前に係員がいる状態に変化し、さらに扉１９が開かれて扉１９の前に係員がいる状態に変化した場合、係員の金庫室１６への入室動作が発生したと認識する。そして、扉１９が開かれて扉１９の前に係員がいる状態から、さらに、扉１９が開かれて扉１９の前に係員がいない状態に変化すると、係員の金庫室１６への入室動作が完了したと認識する。
【００４８】
そして、照明器具２５の点灯および表示モニタ部７８への金庫室１６内の画像の表示を待って金庫室１６に入室することがルール化されており、係員がこれらを待ってから金庫室１６に入室した場合、つまり、外部監視装置５５においては、認識部６６が、外部監視カメラ５７の画像データの輝度の変化から照明器具２５の点灯を確認し、画像データ受信装置５０によって金庫室１６内の画像データを受信したことを確認してから、上記のように金庫室１６への入室動作が完了したと認識した場合は、監視部６７が正常入室情報を出力する。これにより、本体警告部６９および出入口警告部７６でアラームを発生させることはなく、照明器具２５で明るく照らされた金庫室１６内の内部監視カメラ３０により撮像された画像データが、画像データ発信装置３２から画像データ受信装置５０に送受信され、録画装置５１に日時情報とともに記憶される。
【００４９】
他方、認識部６６が、照明器具２５の点灯を確認し且つ画像データ受信装置５０によって金庫室１６内の画像データを受信したことの二条件を確認する前に、金庫室１６への入室動作が完了したと認識した場合は、監視部６７が不正行動があったと判定して、その種別を含む警告情報を発信する。具体的には、認識部６６によって金庫室１６内の照明器具２５の点灯を確認した後であって、画像データ受信装置５０によって金庫室１６内の画像データを受信する前に、認識部６６によって入室動作が完了したことを認識した場合、種別が画像データ受信前入室である警告情報を発信する。また、画像データ受信装置５０によって金庫室１６内の画像データを受信した後であって、認識部６６によって金庫室１６内の照明器具２５の点灯を確認する前に、認識部６６によって金庫室１６への入室動作を確認した場合に、種別が点灯前入室である警告情報を発信する。また、画像データ受信装置５０によって金庫室１６内の画像データを受信する前であって、認識部６６によって金庫室１６内の照明器具２５の点灯を確認する前に、認識部６６によって金庫室１６への入室動作を確認した場合に、種別が画像データ受信前且つ点灯前入室である警告情報を発信する。
【００５０】
すると、記憶部６８が、警告情報に含まれる種別と受信時点の日時である発生日時情報とを関連づけて記憶することになり、本体警告部６９および出入口警告部７６がアラームを発生させることになる。つまり、本体警告部６９は、音声発生部７１がアラーム音声を発生させることになり、表示モニタ部７２が外部監視カメラ５７の現状の画像に合わせて、警告情報の種別をアラーム画像として表示させることになる。他方、出入口警告部７６も、出入口１８の近傍に設置された音声発生部７７がアラーム音声を発生させることになり、表示モニタ部７８が内部監視カメラ３０の現状の画像に合わせて、警告情報の種別をアラーム画像として表示させることになる。
【００５１】
アラーム発生により、係員が不正行動に気付き、金庫室１６から一旦退室して、照明器具２５の点灯および表示モニタ部７８への画像データの表示を待って入室すると、アラーム発生後、予め設定された所定時間が経過する前に、金庫室１６から出たことが、認識部６６で認識され、その後、正しい手順で入室が行われたことが認識部６６で認識されることになり、これを受けて、監視部６７は、警告情報の発信を停止させ正常入室情報を発信することになり、これを受けて本体警告部６９および出入口警告部７６は、アラームを停止させる。
【００５２】
そして、金庫室１６での作業が終わり、退室する場合には、電源供給用コード３５を電源コンセント４０から抜くことになり、これにより、金庫室１６内に設けられた照明器具２５、内部監視カメラ３０および画像データ発信装置３２への電力供給が断たれ、これらが電源ＯＦＦの状態になる。すると、画像データ受信装置５０が画像データを受信しなくなり、録画装置５１は録画を停止する。
【００５３】
一方、状況確認が必要になって、管理者が、表示モニタ部７２へのガイダンス表示にしたがって操作部７０に適宜の操作入力を行うと、再生制御部７３は、記憶部６８に記憶されている全ての警告情報の種別データと発生日時情報とを関連づけて並べて表示モニタ部７２に表示させる。そして、これらからいずれか一つのデータが操作部７０で指定されると、再生制御部７３は、このデータの発生日時情報の前後所定時間において録画装置５９で録画した画像を再生し日時情報と合わせて表示モニタ部７２に表示させる。これにより、すべての不正行動についての出入口１８付近での画像を日時情報で検索して選択的に再生できるため、状況確認が容易にできることになる。
【００５４】
また、状況確認が必要になって、管理者が、表示モニタ部７２へのガイダンス表示にしたがって操作部７０に適宜の操作入力を行うと、再生制御部７３は、操作部７０に指定入力された日時情報において録画装置５１で録画した画像を再生し日時情報と合わせて表示モニタ部７２に表示させる。これにより、金庫室１６内の画像を日時情報で検索して選択的に再生できるため、状況確認が容易にできることになる。
【００５５】
以上に述べた監視カメラシステム１１によれば、金庫室１６内に設けられた内部監視カメラ３０で撮影した画像データを、金庫室１６内に設けられた画像データ発信装置３２が発信すると、金庫室１６外に設けられた画像データ受信装置５０が、画像データ発信装置３２から発信された画像データを受信し、録画装置５１が、この画像データ受信装置５０で受信した画像データを録画する。このように、低コストにて容易に金庫室１６内を監視することができる。そして、金庫室１６内で不正な行為がなされていないかを録画装置５１の画像データを再生することによって確認できる。
【００５６】
また、金庫室１６の扉１９の近傍を監視する外部監視装置５５が設けられ、この外部監視装置５５の認識部６６が、少なくとも金庫室１６への入室動作を認識するため、例えば内部監視カメラ３０と画像データ発信装置３２とを駆動することで画像データ受信装置５０で画像データを受信する前に、金庫室１６への入室動作を認識すると不正行動と判断することができる。なお、認識部６６による入室動作の認識にあっては、金庫室１６の扉１９が閉じられて扉１９の前に係員がいない状態から、扉１９が閉じられ扉１９の前に係員がいる状態に変化し、さらに扉１９が開かれて扉１９の前に係員がいる状態に変化した場合に、係員の金庫室１６への入室動作が発生したと認識し、そしてさらに、扉１９が開かれて扉１９の前に係員がいる状態から、さらに、扉１９が開かれて扉１９の前に係員がいない状態に変化すると、係員の金庫室１６への入室動作が完了したと認識するものと説明したが、このような状態変化の確認で認識するのではなく、係員が開かれた扉１９から金庫室１６内へ入っていく動作そのものを認識することで、入室動作を認識するようにしても良い。
【００５７】
また、金庫室１６内には、内部監視カメラ３０および画像データ発信装置３２を駆動可能な電源、つまり常時電力を供給可能な電力供給機構（バッテリを含む）が設けられていないため、金庫室１６内に熱源がなく、防火上好ましい。そして、金庫室１６に人が出入りする時に、出入りのため扉１９で開状態とされた金庫室１６の出入口１８を介して、金庫室１６外の駆動電源３９の電源コンセント４０に、内部監視カメラ３０および画像データ発信装置３２用の電源供給用コード３５を接続させることで、金庫室１６内を内部監視カメラ３０で監視することができる。
【００５８】
また、扉１９で開状態とされた金庫室１６の出入口１８を介して、金庫室１６外の駆動電源３９の電源コンセント４０に、内部監視カメラ３０および画像データ発信装置３２用の電源供給用コード３５を接続させるため、扉１９を閉じるときには金庫室１６外の駆動電源３９の電源コンセント４０と内部監視カメラ３０および画像データ発信装置３２用の電源供給用コード３５との接続を解除する必要があり、電源接続の解除忘れがない。よって、防火上さらに好ましい。
【００５９】
また、内部監視カメラ３０および画像データ発信装置３２が、金庫室１６内の照明器具２５と同一の電源供給用コード３５によって、同一の駆動電源３９から電力供給を受ける構成とされているため、金庫室１６内で作業するために照明器具２５を電源ＯＮ状態とすると内部監視カメラ３０および画像データ発信装置３２も電源ＯＮ状態となって、自動的に金庫室１６内を監視可能な状態となる。また、金庫室１６内での作業が終了して照明器具２５を電源ＯＦＦ状態とすると内部監視カメラ３０および画像データ発信装置３２も電源ＯＦＦ状態となる。したがって、照明器具２５を電源ＯＮ状態とする、係員が金庫室１６内で業務を行う状況においてのみ、内部監視カメラ３０および画像データ発信装置３２を電源ＯＮ状態にでき、必要最小限の電力供給にて機能させることができる。
【００６０】
また、同一の駆動電源３９の投入手段である電源供給用コード３５および電源コンセント４０が、金庫室１６の扉１９の近傍に配設されているため、電源の投入作業を容易に、しかも金庫室１６内に入室せずに行うことができる。また、金庫室１６の扉１９の近傍に配設された電源供給用コード３５および電源コンセント４０を接続操作して照明器具２５を電源ＯＮ状態とすると、内部監視カメラ３０および画像データ発信装置３２が電源ＯＮ状態となるため、係員の作業の流れに不自然な違和感を抱かせることなく、係員の入室後に金庫室１６内を監視可能となる。なお、電源供給用コードを執務室１５側に設けて駆動電源３９に常時接続させておき、照明器具２５、内部監視カメラ３０および画像データ発信装置３２に接続されたコンセントを金庫室１６内に設けて、出入口１８を介して執務室１５側から金庫室１６に電源供給用コードを引き込んでコンセントに接続させて電力供給を行うようにしても良い。
【００６１】
また、外部監視装置５５は、画像データ受信装置５０によって金庫室１６内の画像データを受信する前に、認識部６６によって入室動作を認識した場合、警告情報を発信するため、画像データ受信装置５０によって金庫室１６内の画像データを受信したことを表示モニタ部７８で確認してから、入室動作を行うようにルール化しておくことで、このルールを破った場合に、不正行動と判定して、警告情報を発信することができる。
【００６２】
また、外部監視装置５５が、認識部６６によって金庫室１６内の照明器具２５の点灯を確認する前に、認識部６６によって金庫室１６への入室動作を確認した場合、警告情報を発信するため、金庫室１６内の照明器具２５が点灯してから、入室動作を行うようにルール化しておくことで、このルールを破った場合に、不正行動と判定して、警告情報を発信することができる。
【００６３】
また、外部監視装置５５が、認識部６６によって金庫室１６内の照明器具２５の点灯を確認し且つ画像データ受信装置５０によって金庫室１６内の画像データを受信する前に、認識部６６によって金庫室１６への入室動作を確認した場合、警告情報を発信するため、照明器具２５の点灯を確認し且つ画像データ受信装置５０によって金庫室１６内の画像データを受信したことを表示モニタ部７８で確認してから、入室動作を行うようにルール化しておくことで、このルールを破った場合に、不正行動と判定して、警告情報を発信することができる。
【００６４】
また、警告情報を受けると、その時点の日時である発生日時情報を記憶部６８に記憶するため、不正行動があったと判定した警告情報の発生日時を後から確認することができる。
【００６５】
また、警告情報を受けると、本体警告部６９および出入口警告部７６がアラームを発生させるため、例えば、金庫室１６に入室する係員に不正行動があったことを認識させることができ、正しい手順での入室を促すことができ、あるいはその後の不正行動を未然に防止することができる。
【００６６】
また、画像データ発信装置３２および画像データ受信装置５０が、金庫室１６の扉１９を挟んで配置されるため、これらが必要最小限の極めて短距離に配置されることになって、画像データの送受信の信頼性を高めることができる。
【００６７】
また、画像データ発信装置３２および画像データ受信装置５０が、低出力の無線によって画像データの送受信を行うため、有線方式と比較して、金庫室１６の内外に配線を引き回しする煩雑さを解消できる。また、無線が低出力であるため、画像データの傍受を防止できる。
【００６８】
また、画像データ発信装置３２が画像データを暗号化し、画像データ受信装置５０が画像データの暗号化を解除するため、画像データのセキュリティを向上できる。
【図面の簡単な説明】
【００６９】
【図１】本発明の一実施形態の監視カメラシステムが設置された金融機関店舗の概略平面図である。
【図２】本発明の一実施形態の監視カメラシステムが設置された金融機関店舗の概略側断面図である。
【図３】本発明の一実施形態の監視カメラシステムにおける電源コンセントと電源供給用コードとの接続状態を示す側面図である。
【図４】本発明の一実施形態の監視カメラシステムを示すブロック図である。
【符号の説明】
【００７０】
１１  監視カメラシステム
１６  金庫室
１８  出入口（開口部）
１９  扉
２５  照明器具
３０  内部監視カメラ（監視カメラ）
３２  画像データ発信装置（画像データ発信手段）
３５  電源供給用コード（投入手段）
３９  駆動電源
４０  電源コンセント（投入手段）
５０  画像データ受信装置（画像データ受信手段）
５１  録画装置（録画手段）
５５  外部監視装置（監視手段）
６６  認識部（認識手段）
６８  記憶部（記憶手段）
６９  本体警告部（警告手段）
７６  出入口警告部（警告手段）
【図１】
2010098568.tif 000003
【図２】
2010098568.tif 000004
【図３】
2010098568.tif 000005
【図４】
2010098568.tif 000006